(57)【特許請求の範囲】
【請求項１】
一方の面に樹脂材料からなるシートが貼着された金属材料からなる板材をライン搬送しながら所定形状に加工する加工ステップにより形成されて、ユニットバスの壁部に所定寸法の隙間を空けて並設されると共に前記隙間に固形の乾式目地材が嵌入されることにより止水作用を生じさせた状態で使用される壁パネルの製造方法であって、
前記加工ステップは、
長方形の前記板材を用意するＡ１ステップと、
前記Ａ１ステップよりも後に、
前記板材の所定位置に、前記板材を長辺に沿った折曲げ線で折曲する際の基準位置となる基準線を形成するＢ１ステップと、
前記基準線を突当てる突当て部となる、一箇所設けられて常用される常用突当て部、および複数箇所設けられて前記板材の前記長辺の長さに応じて一箇所が選択されて用いられる選択突当て部を、それぞれ独立して移動可能に支持するベース部を、設定される短辺の長さに応じて移動させることによって、前記常用突当て部および前記選択突当て部の両方を一括して移動させて設定位置に位置決めを行うＢ２ステップと、
前記Ｂ１ステップ、および前記Ｂ２ステップよりも後に、
Ｎ（Ｎ＝自然数）枚目までの前記板材に対して、前記基準線を、前記常用突当て部および前記選択突当て部の二箇所に突当てて、前記基準線に対して平行で且つ所定寸法離れた位置で、前記板材をプレス加工により折曲するＣ１ステップと、
前記Ｃ１ステップで折曲した前記板材における所定箇所の形状測定を行った後、設計値との比較を行って得られるズレ量が許容範囲を超えている場合に、前記ベース部に対して、前記常用突当て部および前記選択突当て部の一方もしくは両方を個別に前記ライン搬送方向における前後方向に移動させることにより、前記常用突当て部および前記選択突当て部の設定位置の微調整を行うＣ２ステップと、
前記Ｃ１ステップ、および前記Ｃ２ステップよりも後に、
Ｎ＋１枚目以降の前記板材に対して、前記基準線を、前記常用突当て部および前記選択突当て部の二箇所に突当てて、前記基準線に対して平行で且つ所定寸法離れた位置で、前記板材をプレス加工により折曲するＤ１ステップと、
を備えること
を特徴とする壁パネルの製造方法。
【請求項２】
前記Ｂ１ステップは、プレス加工により前記板材を前記長辺に沿った折曲げ線で板面に対して角度公差１°以内で９０°に折曲して折曲面を形成し、前記折曲面を前記基準線とする工程を備えていること
を特徴とする請求項１記載の壁パネルの製造方法。
【請求項３】
前記Ｃ２ステップは、電動アクチュエータを用いて前記常用突当て部および前記選択突当て部の一方もしくは両方を個別に０．０５ｍｍ以下の寸法精度で移動させることによって前記常用突当て部および前記選択突当て部の設定位置の微調整を行う工程を備えていること
を特徴とする請求項１または請求項２記載の壁パネルの製造方法。
【発明の詳細な説明】
【技術分野】
【０００１】
本発明は、壁パネルの製造方法に関し、さらに詳細には、ユニットバスの壁部を構成する壁パネルの製造方法に関する。
【背景技術】
【０００２】
ユニットバスの壁部を構成する壁パネルに関して、その構造や製造方法に関する技術が特許文献１（特開２００３−０３３８３７号公報）、および特許文献２（特開２００４−１５０２５３号公報）等に開示されている。
【先行技術文献】
【特許文献】
【０００３】
【特許文献１】特開２００３−０３３８３７号公報
【特許文献２】特開２００４−１５０２５３号公報
【発明の概要】
【発明が解決しようとする課題】
【０００４】
上記に例示される壁パネルは、互いの長辺部が隣接する配置でユニットバスの壁部に所定寸法の隙間を空けて並設されると共に、当該隙間に目地材が嵌入されることにより止水作用を生じさせた状態で使用される。仮に、目地材として硬化性を有する液状樹脂材料が用いられる場合には、壁パネルの外形寸法の形成精度が低いことに起因して隙間の形状や寸法にばらつきが生じていても、当該隙間を埋めて壁内（室内側とは逆の裏側）への水の浸入を防ぐことが可能となる。しかし、液状樹脂材料からなる目地材は施工に手間と時間がかかり、工期やコストが増加してしまう課題が生じる。
【０００５】
そのため、特許文献１、２に記載の壁パネルは、樹脂材料を用いて形成される固形の乾式目地材を使用する構成であることによって、施工作業の容易化を図り、工期の短縮およびコスト削減を図ろうとするものである。その一方で、乾式目地材を使用するが故に、壁パネルの外形寸法の形成精度（特に、長辺部の平行度）が僅かでも低い場合には、目地材が嵌入される隙間の止水を完全に行うことができず、壁内へ水が浸入してしまう課題が生じる。
【０００６】
ここで、上記の壁パネルは、長方形の金属の板材をプレス加工によって所定形状に形成して製造される。したがって、原材料として四隅の直角度における形成時（切断加工時）の誤差（角度公差）が極力小さく設定された長方形の板材を用いれば、プレス加工によって形成される壁パネルの外形寸法の形成精度を高めることもできる。しかし、そのような原材料を準備するためには、加工精度の高い高価な装置が必要となり、また、加工後の材料を計測して誤差を追い込む作業等も必要となり、結果的に、原材料となる板材の原価が上昇してしまう課題が生じる。
【課題を解決するための手段】
【０００７】
本発明は、上記事情に鑑みてなされ、ユニットバスの壁部に所定寸法の隙間を空けて並設されると共に隙間に固形の乾式目地材が嵌入されることにより止水作用を生じさせた状態で使用される壁パネルに関し、原材料として四隅の直角度における形成時（切断加工時）の角度公差が比較的大きく設定された安価な長方形の板材を用いることができ、且つ、プレス加工によって形成される際の外形寸法の形成精度（特に、長辺部の平行度）を極めて高くすることが可能な製造方法を実現して、乾式目地材が嵌入される隙間における止水性能を飛躍的に向上させると共に、施工作業の容易化による工期の短縮およびコスト削減を図ることを目的とする。
【０００８】
一実施形態として、以下に開示するような解決手段により、前記課題を解決する。
【０００９】
開示の壁パネルの製造方法は、一方の面に樹脂材料からなるシートが貼着された金属材料からなる板材をライン搬送しながら所定形状に加工する加工ステップにより形成されて、ユニットバスの壁部に所定寸法の隙間を空けて並設されると共に前記隙間に固形の乾式目地材が嵌入されることにより止水作用を生じさせた状態で使用される壁パネルの製造方法であって、前記加工ステップは、長方形の前記板材を用意するＡ１ステップと、前記Ａ１ステップよりも後に、前記板材の所定位置に、前記板材を長辺に沿った折曲げ線で折曲する際の基準位置となる基準線を形成するＢ１ステップと、前記基準線を突当てる突当て部となる、一箇所設けられて常用される常用突当て部、および複数箇所設けられて前記板材の前記長辺の長さに応じて一箇所が選択されて用いられる選択突当て部を、それぞれ独立して移動可能に支持するベース部を、設定される短辺の長さに応じて移動させることによって、前記常用突当て部および前記選択突当て部の両方を一括して移動させて設定位置に位置決めを行うＢ２ステップと、前記Ｂ１ステップ、および前記Ｂ２ステップよりも後に、Ｎ（Ｎ＝自然数）枚目までの前記板材に対して、前記基準線を、前記常用突当て部および前記選択突当て部の二箇所に突当てて、前記基準線に対して平行で且つ所定寸法離れた位置で、前記板材をプレス加工により折曲するＣ１ステップと、前記Ｃ１ステップで折曲した前記板材における所定箇所の形状測定を行った後、設計値との比較を行って得られるずれ量が許容範囲を超えている場合に、前記ベース部に対して、前記常用突当て部および前記選択突当て部の一方もしくは両方を個別に前記ライン搬送方向における前後方向に移動させることにより、前記常用突当て部および前記選択突当て部の設定位置の微調整を行うＣ２ステップと、前記Ｃ１ステップ、および前記Ｃ２ステップよりも後に、Ｎ＋１枚目以降の前記板材に対して、前記基準線を、前記常用突当て部および前記選択突当て部の二箇所に突当てて、前記基準線に対して平行で且つ所定寸法離れた位置で、前記板材をプレス加工により折曲するＤ１ステップと、を備えることを特徴とする。
【発明の効果】
【００１０】
本発明によれば、ユニットバスの壁部に所定寸法の隙間を空けて並設されると共に隙間に目地材が嵌入されることにより止水作用を生じさせた状態で使用される壁パネルの製造方法に関し、原材料として四隅の直角度における角度公差が比較的大きく設定された安価な長方形の板材を用いることができ、且つ、外形寸法の形成精度（特に、長辺部の平行度）が極めて高い壁パネルを製造することが可能となる。これにより、目地材として液状樹脂ではなく固形の乾式目地材を用いる構成において、当該目地材が嵌入される隙間の止水性能を飛躍的に高めることが可能となる。したがって、壁部を構成する際に、施工作業の容易化が図られ、工期の短縮およびコスト削減が可能となる。
【図面の簡単な説明】
【００１１】
【図１】本発明の実施形態に係る壁パネルの例を示す概略図（表面側斜視図）である。
【図２】本発明の実施形態に係る壁パネルの例を示す概略図（裏面側斜視図）である。
【図３】図１におけるIII−III線断面図である。
【図４】図１におけるIV−IV線断面図である。
【図５】本実施形態に係る壁パネル同士を連結するコーナージョイナーの概略図（平面図）である。
【図６】本実施形態に係る壁パネル同士を連結する平ジョイナーの概略図（平面図）である。
【図７】本実施形態に係る壁パネルを並設した隙間に嵌入する乾式目地材の概略図（斜視図）である。
【図８】本実施形態に係る壁パネルを使用してユニットバスの壁部を構成する方法を説明する説明図である。
【図９】本実施形態に係る壁パネルを使用してユニットバスの壁部を構成する方法を説明する説明図である。
【図１０】本実施形態に係る壁パネルを使用してユニットバスの壁部を構成する方法を説明する説明図である。
【図１１】本実施形態に係る壁パネルの製造を行う製造装置の例を示す概略図（平面視の概略構成図）である。
【図１２】本実施形態に係る壁パネルの製造に用いられる原材料の概略図（形状を強調した平面図）である。
【図１３】図１１に示す製造装置の長辺加工部の例を示す概略図（平面視の概略構成図）である。
【図１４】図１１に示す製造装置の長辺加工部の例を示す概略図（平面視の概略構成図）である。
【図１５】本実施形態に係る壁パネルの製造方法が解決しようとする課題について説明するための説明図（形状を強調した平面図）である。
【図１６】本実施形態に係る壁パネルの製造方法が解決しようとする課題について説明するための説明図（形状を強調した平面図）である。
【図１７】本実施形態に係る壁パネルの製造方法が解決しようとする課題について説明するための説明図（形状を強調した断面図）である。
【発明を実施するための形態】
【００１２】
本実施形態に係る製造方法によって製造される壁パネルは、一方の面に樹脂材料からなるシートが貼着された金属材料からなる板材をライン搬送しながら所定形状に加工する加工ステップにより形成されて、ユニットバスの壁部に所定寸法の隙間を空けて並設されると共に、当該隙間に固形の乾式目地材が嵌入されることにより止水作用を生じさせた状態で使用されるものである。以下、図面を参照して、本発明の実施形態について詳しく説明する。なお、実施形態を説明するための全図において、同一の機能を有する部材には同一の符号を付し、その繰り返しの説明は省略する場合がある。
【００１３】
（壁パネル）
先ず、本実施形態に係る壁パネル３０の構成例について説明する。図１は、壁パネル３０の表面側（ユニットバスの室内側）の斜視図であり、図２は、壁パネル３０の裏面側（ユニットバスの室外側）の斜視図である。また、図３は、図１におけるIII−III線断面図であり、図４は、図１におけるIV−IV線断面図である。一例として、壁パネル３０は、長辺寸法１０００ｍｍ〜２３００ｍｍ程度、短辺寸法３００ｍｍ〜１２００ｍｍ程度に形成されるが、これに限定されるものではない。また、図１等の各図面は、実寸法に対する厳密な縮尺によって表示するものではない。
【００１４】
壁パネル３０を製造する材料には、一例として、金属材料（例えば、厚さ０．５ｍｍ程度の亜鉛めっき鋼等）からなる矩形（略長方形）の板材（詳細は後述）であって、一方の面に樹脂材料（例えば、厚さ０．１ｍｍ程度のポリエステル樹脂等）からなるシート（いわゆる「化粧シート」）３９が貼着された鋼板（いわゆる「化粧鋼板」）１０が用いられる（以下、単に「原材料」と称する場合がある）。シート３９のデザインを変えることによって、ユニットバスの壁面デザインを変えることができ、多種多様なバリエーションの提供が可能となる（すなわち、シート３９貼着面が壁パネル３０の表面となる）。詳細は後述するが、この原材料１０を用いて、四隅をプレス加工（切断加工）によって所定形状に加工した後、四辺をプレス加工（曲げ加工）によって所定形状に加工することにより壁面構成部が平面視長方形の壁パネル３０が製造される。なお、原材料１０の構成は上記の例に限定されるものではない。
【００１５】
壁パネル３０の構成例として、原材料１０の第１短辺１５寄りの位置で、裏面側に９０°、次いで裏面側に９０°で折曲されることにより、図３に示すように断面Ｕ字状（より正確には、日本語カタカナのコ字状）の折曲部３１を有している。また、原材料１０の第２短辺１６寄りの位置でが、表面側に９０°、次いで裏面側に９０°で折曲されることにより、図３に示すように断面Ｌ字状の折曲部３２を有している。一方、原材料１０の第１長辺１７寄りの位置および第２長辺１８寄りの位置で、それぞれ、裏面側に９０°、次いで裏面側に１２０°、次いで裏面側に９０°で折曲されることにより、図４に示すように断面三角形状の折曲部３３、３４を有している。ただし、この構成に限定されるものではない。
【００１６】
（ジョイナー）
続いて、本実施形態に係る壁パネル３０同士を連結するジョイナー４０、５０の構成例について説明する。図５は、ユニットバスの角部（コーナー部）に配設されるコーナージョイナー４０の平面図であり、図６は、ユニットバスの辺部（中間部）に配設される平ジョイナー５０の平面図である。
【００１７】
コーナージョイナー４０は、金属材料（例えば、亜鉛めっき鋼等）からなる長方形の板材を用いて、曲げ加工によって所定形状に加工して形成される。図５に示すように、板材の短手方向の端部（すなわち、長辺部）に、それぞれ、折曲されて形成される断面三角形状の折曲部４１、４２を有している。この折曲部４１、４２同士の間が開口部４４となり、内部が中空部４６となる構成を有している。
【００１８】
また、平ジョイナー５０は、金属材料（例えば、亜鉛めっき鋼等）からなる長方形の板材を用いて、曲げ加工によって所定形状に加工して形成される。図６に示すように、板材の短手方向の端部（すなわち、長辺部）に、それぞれ、折曲されて形成される断面三角形状の折曲部５１、５２を有している。この折曲部５１、５２同士の間が開口部５４となり、内部が中空部５６となる構成を有している。
【００１９】
（使用方法）
続いて、本実施形態に係る壁パネル３０を用いてユニットバスの壁部を構成する方法について説明する。概略として、壁パネル３０は、連結用部品であるコーナージョイナー４０および平ジョイナー５０と共に、床部６２（一例として、浅箱状の床パン）６２の外周縁に沿って一周するように配設されて、ユニットバスの壁部を構成する。なお、コーナージョイナー４０および平ジョイナー５０の上端部および下端部には、樹脂材料からなるブロック部材６６〜６９が嵌合される構成となっている。以下、詳しく説明する。
【００２０】
先ず、図８に示すように、矩形状に形成された床部６２の一の角部近傍位置（隣接位置）において、床部６２の外縁部に一枚の壁パネル３０（３０Ａ）を立設する。このとき、壁パネル３０（３０Ａ）の折曲部３１の折曲面３１ｂ（第１折曲面）と、床部６２の外縁部の当接面６２ａに設けられた壁下パッキン６４とが当接（密接）する構成となり、水の浸入防止が図られる。なお、壁下パッキン６４の例として、樹脂材料等からなる公知の防水テープが用いられる。
【００２１】
次いで、床部６２の所定位置（壁パネル３０（３０Ａ）に隣接する角部位置）にコーナージョイナー４０を立設する。具体的には、壁パネル３０（３０Ａ）にコーナージョイナー４０を取付けた後、コーナージョイナー４０の下端部を床部６２に配設されたブロック部材６７に嵌め込むことにより、コーナージョイナー４０および壁パネル３０を所定位置に位置決めしながら立設する。
【００２２】
壁パネル３０（３０Ａ）にコーナージョイナー４０を取付ける際には、壁パネル３０（３０Ａ）の折曲部３３を、コーナージョイナー４０の開口部４４から中空部４６内に挿入して折曲部４２に係止した状態とする。このとき、折曲部３３の折曲面３３ａ（第２係止面）と、折曲部４２の折曲面４２ａ（第２支持面）とが当接した状態となる。
【００２３】
次いで、床部６２の外縁部に一枚の壁パネル３０（３０Ｂ）を立設する。その際、壁パネル３０（３０Ｂ）の折曲部３４を、コーナージョイナー４０の開口部４４から中空部４６内に挿入して折曲部４１に係止した状態とする。このとき、折曲部３４の折曲面３４ａ（第１係止面）と、折曲部４１の折曲面４１ａ（第１支持面）とが当接した状態となる。なお、壁パネル３０（３０Ａ）の場合と同様に、壁パネル３０（３０Ｂ）の折曲部３１の折曲面３１ｂ（第１折曲面）と、床部６２の外縁部の当接面６２ａに設けられた壁下パッキン６４とが当接（密接）する構成となり、水の浸入防止が図られる。
【００２４】
次いで、図９に示すように、コーナージョイナー４０の上端部にブロック部材６６を装着する。このブロック部材６６は、壁パネル３０（３０Ａ）の折曲部３３（具体的には、中空部３３ｄ）、および壁パネル３０（３０Ｂ）の折曲部３４（具体的には、中空部３４ｄ）にそれぞれ挿入される突起状の挿入部（不図示）が設けられている。この挿入部が折曲部３３（中空部３３ｄ）および折曲部３４（中空部３４ｄ）に挿入されることによって、ブロック部材６６の外れ防止を図ることができ、壁パネル３０（３０Ａ）の折曲面３３ａ（第２係止面）がコーナージョイナー４０の折曲部４２の折曲面４２ａ（第２支持面）に当接した状態で、且つ、壁パネル３０（３０Ｂ）の折曲面３４ａ（第１係止面）がコーナージョイナー４０の折曲部４１の折曲面４１ａ（第１支持面）に当接した状態で確実に固定することができる。ただし、ブロック部材６６の構成は上記の例に限定されるものではない。
【００２５】
次いで、床部６２の所定位置（壁パネル３０Ｂに隣接する中間位置）に平ジョイナー５０を立設する。具体的には、壁パネル３０Ｂに平ジョイナー５０を取付けた後、平ジョイナー５０の下端部を床部６２に配設されたブロック部材６９に嵌め込むことにより、平ジョイナー５０および壁パネル３０を所定位置に位置決めしながら立設する。
【００２６】
壁パネル３０（３０Ｂ）に平ジョイナー５０を取付ける際には、壁パネル３０（３０Ｂ）の折曲部３３を、平ジョイナー５０の開口部５４から中空部５６内に挿入して折曲部５２に係止した状態とする。このとき、折曲部３３の折曲面３３ａ（第２係止面）と、折曲部５２の折曲面５２ａ（第４支持面）とが当接した状態となる。
【００２７】
次いで、図１０に示すように、平ジョイナー５０の上端部にブロック部材６８（６８Ａ）を装着する。このブロック部材６８（６８Ａ）は、壁パネル３０（３０Ｂ）の折曲部３３（具体的には、中空部３３ｄ）に挿入される突起状の挿入部（不図示）が設けられている。この挿入部が折曲部３３（中空部３３ｄ）に挿入されることによって、ブロック部材６８（６８Ａ）の外れ防止を図ることができ、壁パネル３０（３０Ｂ）の折曲面３３ａ（第２係止面）が平ジョイナー５０の折曲部５２の折曲面５２ａ（第４支持面）に当接した状態で確実に固定することができる。ただし、ブロック部材６８（６８Ａ）の構成は上記の例に限定されるものではない。
【００２８】
次いで、床部６２の外縁部に一枚の壁パネル３０（３０Ｃ）を立設する。その際、壁パネル３０（３０Ｃ）の折曲部３４を、平ジョイナー５０の開口部５４から中空部５６内に挿入して折曲部５１に係止した状態とする。このとき、折曲部３４の折曲面３４ａ（第１係止面）と、折曲部５１の折曲面５１ａ（第３支持面）とが当接した状態となる。なお、壁パネル３０Ａ、３０Ｂの場合と同様に、壁パネル３０Ｃの折曲部３１の折曲面３１ｂ（第１折曲面）と、床部６２の外縁部の当接面６２ａに設けられた壁下パッキン６４とが当接（密接）する構成となり、水の浸入防止が図られる。
【００２９】
次いで、平ジョイナー５０の上端部にブロック部材６８（６８Ｂ）を装着する。このブロック部材６８（６８Ｂ）は、壁パネル３０（３０Ｃ）の折曲部３４（具体的には、中空部３４ｄ）に挿入される突起状の挿入部（不図示）が設けられている。この挿入部が折曲部３４（中空部３４ｄ）に挿入されることによって、ブロック部材６８（６８Ｂ）の外れ防止を図ることができ、壁パネル３０（３０Ｃ）の折曲面３４ａ（第１係止面）が平ジョイナー５０の折曲部５１の折曲面５１ａ（第３支持面）に当接した状態で確実に固定することができる。ただし、ブロック部材６８（６８Ｂ）の構成は上記の例に限定されるものではない。
【００３０】
次いで、ユニットバスの設計仕様（ここでは、壁部の水平方向寸法）に応じて、壁パネル３０Ｃにコーナージョイナー４０を取付けて当該壁面を終端させるか、もしくは平ジョイナー５０を取付けて当該壁面を延設させるか、いずれかの工程を実施する。なお、コーナージョイナー４０もしくは平ジョイナー５０のいずれを取付ける場合も、その取付け方法は前述したそれぞれの場合と同様であるため、繰り返しの説明を省略する。
【００３１】
このようにして、壁パネル３０、コーナージョイナー４０、および平ジョイナー５０を順次組み立てることによって、床部６２の外周縁に沿って一周するように壁部を形成することができる。その際、壁パネル３０、コーナージョイナー４０、および平ジョイナー５０は、互いに引き合い一体化されており、特別な部材を設けることなくユニットバスの壁面を容易に形成できる。なお、このとき、壁パネル３０の折曲面３４ａ（第１係止面）、３３ａ（第２係止面）と、対応するコーナージョイナー４０の折曲面４１ａ（第１支持面）、４２ａ（第２支持面）、および平ジョイナー５０の折曲面５１ａ（第３支持面）、５２ａ（第４支持面）とは、弾性的に係止された状態となる。
【００３２】
ところで、コーナージョイナー４０に係止されて並設された壁パネル３０同士の間、より具体的には、開口部４４から中空部４６内に挿入された一方の壁パネル３０（３０Ａ）の折曲部３３と他方の壁パネル３０（３０Ｂ）の折曲部３４との間に隙間が生じた状態となっている。したがって、この隙間に、図７に示す乾式目地材６０を嵌め込んで、閉塞して水の浸入を防止する工程を実施する。この乾式目地材６０は、一例として、樹脂材料を用いて弾性変形可能な固形状に形成されている。すなわち、乾式目地材６０は、基部６０ａの裏面（室外側の面）を壁パネル３０の表面に弾性接触させると共に、突設部６０ｂを壁パネル３０の折曲部３３（ここでは、第４折曲面３３ｃ）、折曲部３４（ここでは、第３折曲面３４ｃ）に弾性接触させることによって、隙間の止水作用（壁内への水浸入防止作用）を生じさせる構成となっている。ただし、乾式目地材６０の構成は上記の例に限定されるものではない。
【００３３】
同様に、平ジョイナー５０に係止されて並設された壁パネル３０同士の間、より具体的には、開口部５４から中空部５６内に挿入された一方の壁パネル３０（３０Ｂ）の折曲部３３と他方の壁パネル３０（３０Ｃ）の折曲部３４との間に隙間が生じた状態となっている。したがって、この隙間に、図７に示す乾式目地材６０を嵌め込んで、閉塞して水の浸入を防止する工程を実施する。この乾式目地材６０は、上記の通り、樹脂材料を用いて弾性変形可能な固形状に形成されている。すなわち、乾式目地材６０は、基部６０ａの裏面（室外側の面）を壁パネル３０の表面に弾性接触させると共に、突設部６０ｂを壁パネル３０の折曲部３３（ここでは、第４折曲面３３ｃ）、折曲部３４（ここでは、第３折曲面３４ｃ）に弾性接触させることによって、隙間の止水作用（壁内への水浸入防止作用）を生じさせる構成となっている。ただし、乾式目地材６０の構成は上記の例に限定されるものではない。また、コーナー用と辺部（中間部）用とで、乾式目地材を別の構成としてもよい（不図示）。
【００３４】
これらの工程を経て、ユニットバスの壁部が構成される。
【００３５】
前述の通り、仮に、目地材として硬化性を有する液状樹脂材料が用いられる場合には、壁パネル３０の外形寸法の形成精度が低いことに起因して隙間の形状や寸法にばらつきが生じていても、当該隙間を埋めて壁内（室内側とは逆の裏側）への水の浸入を防ぐことが可能となる。しかし、液状樹脂材料からなる目地材は施工に手間と時間がかかり、工期やコストが増加してしまう課題が生じる。そこで、本実施形態においては、図７に示すような樹脂材料を用いて形成される固形の乾式目地材６０を使用することによって、施工作業の容易化を図り（図８〜図１０参照）、工期の短縮およびコスト削減を可能としている。
【００３６】
しかしながら、固形の乾式目地材を使用するが故に、壁パネル３０の外形寸法の形成精度が低くなる程、目地材が嵌入される隙間の止水作用が得られなくなり、壁内へ水が浸入してしまう課題が生じる。具体的には、各壁パネル３０における長辺部の平行度（ここでは、第３折曲面３４ｃと第４折曲面３３ｃとの平行度）の形成精度が低ければ、長辺部が隣接する配置で複数の壁パネル３０を並設して壁部を構成する際に、一方の壁パネル３０の折曲面（ここでは、第４折曲面３３ｃ）と他方の壁パネル３０の折曲面（ここでは、第３折曲面３４ｃ）との間の隙間が台形等のように歪んでしまい、固形の乾式目地材６０を嵌め込んだ際に折曲面（第４折曲面３３ｃ、第３折曲面３４ｃ）との間に空隙ができて、水の浸入が生じてしまう。
【００３７】
ここで、上記の壁パネル３０は、長方形の原材料１０（前述の化粧鋼板）をプレス加工によって所定形状に形成して製造される。したがって、原材料１０として四隅の直角度における形成時（切断加工時）の誤差（角度公差）が極力小さく設定された長方形の板材を使用して外形基準によるプレス加工を行えば、形成される壁パネル３０の外形寸法の形成精度を高めることもできる。しかし、そのような原材料１０を準備するためには、加工精度の高い高価な装置が必要となり、また、加工後の材料を計測して誤差を追い込む作業等も必要となり、結果的に、原材料１０となる板材の原価が上昇してしまう課題が生じる。
【００３８】
そのため、本願発明者は、原材料１０として四隅の直角度における形成時（切断加工時）の角度公差が比較的大きく設定された安価な長方形の板材を用いることができ、且つ、プレス加工によって形成される際の外形寸法の形成精度（特に、長辺部の平行度）を極めて高くすることが可能な以下の製造方法を案出するに至った。
【００３９】
（製造方法）
続いて、本実施形態に係る壁パネル３０の製造方法について説明する。この製造方法は、原材料１０をライン搬送しながら切断・折曲加工することによって所定形状の壁パネル３０として製造する下記の主要ステップを備えている。また、製造には一つのラインで加工を行う製造装置１００が用いられる。図１１に製造装置１００の説明図（平面視の概略構成図）を示す。なお、図中の矢印Ｘはライン搬送方向を示す。
【００４０】
原材料１０には、長方形の板材（前述の化粧鋼板）が用いられる。ここで「長方形」の形状について、理想的には四隅の角度が全て９０°（±０°）であるが、現実には形成時（切断加工時）に、四隅の角度に誤差（本願において「角度公差」と称する）が含まれる（すなわち、幾何学的に定義される長方形のみならず略長方形が含まれる）。一般的に、当該角度公差が小さい程、材料価格は高価となり、大きい程安価となる。
【００４１】
本実施形態に係る製造方法によれば、以下に示す特徴的な構成（ステップ）を備えることによって、四隅の直角度における形成時（切断加工時）の角度公差が比較的大きく設定された安価な長方形の板材を原材料１０として用いることができる。当該原材料１０の例について、わかりやすく強調して図示すれば、図１２（ａ）に示すひし形の原材料１０（１０Ａ）、図１２（ｂ）に示す台形の原材料１０（１０Ｂ）、図１２（ｃ）に示すキャンバーを有する原材料１０（１０Ｃ）等のような形状を有するものであっても使用することができる（説明用に形状を強調した図であり、実際の形状の縮小図ではない）。これらの例のように、原材料１０として、四隅の直角度に比較的大きな角度公差が許容された長方形の板材、具体的には、四隅の角度（第１隅部１１の角度θ１、第２隅部１２の角度θ２、第３隅部１３の角度θ３、第４隅部１４の角度θ４）が、直角（９０°）に対して、±０．５°以内の角度公差を有する長方形の板材を使用することができ、且つ、外形精度（特に、長辺部の平行度）が高精度の壁パネル３０を製造することができる。以下、詳しく説明する。
【００４２】
先ず、原材料１０となる長方形の板材（上記の角度公差が許容されたもの）を用意して、ライン上に搬入するステップを実施する（Ａ１ステップ）。一例として、当該板材が複数枚、積層収納されたストッカー１０２内から、フィーダー等の搬送装置（不図示）を用いて、所定タクトで一枚ずつライン上（ここでは、始端部１０４上）に載置する方法等が採用できる。なお、その後の原材料１０のライン搬送には、主としてベルトコンベア等の搬送装置（不図示）を用いる。一例として、回転移動部１１０（後述）までは第１短辺１５側を先頭として搬送し、回転移動部１１０からは第２長辺１８側を先頭として搬送するが、この構成に限定されるものではない。
【００４３】
次いで、Ａ１ステップよりも後に、切断加工部１０６においてＡ２ステップを実施する。一例として、切断加工部１０６は、切断用の金型（不図示）を備えて構成されている。Ａ２ステップとして、プレス加工（切断加工）により原材料１０の所定位置に、仕様に応じた切欠きを形成するステップを実施する。
【００４４】
次いで、Ａ２ステップよりも後に、短辺加工部１０８においてＡ３ステップを実施する。一例として、短辺加工部１０８は、折曲用のプレス金型１３０、原材料１０の位置決めを行う位置決め装置（不図示）を備えて構成されている。Ａ３ステップとして、プレス加工（折曲加工）により原材料１０の短辺部に、仕様に応じた折曲部を形成するステップを実施する。本実施形態においては、原材料１０における第１短辺１５寄りの端部を二回折曲して折曲面３１ａおよび折曲面３１ｂ（第１折曲面）を有する折曲部３１を形成する。また、原材料１０における第２短辺１６寄りの端部を二回折曲して折曲面３２ａおよび折曲面３２ｂ（第２折曲面）を有する折曲部３２を形成する。
【００４５】
次いで、Ａ３ステップよりも後に、回転移動部１１０においてＡ４ステップを実施する。一例として、回転移動部１１０は、原材料１０を回転移動させてライン搬送の向きを変更する回転移動装置（不図示）を備えて構成されている。Ａ４ステップとして、原材料１０を面内方向に９０°回転させるステップを実施する。
【００４６】
次いで、Ａ４ステップよりも後に、長辺加工部１１２（１１２Ａ）においてＢ１ステップを実施する。一例として、長辺加工部１１２（１１２Ａ）は、折曲用のプレス金型１４０、原材料１０の位置決めを行う際の基準位置を設定する突当て部１４２（１４２Ａ、１４２Ｂ）、および基準位置から原材料１０を押動して精密移動させて位置決めを行う位置決め装置１４４（１４４Ａ、１４４Ｂ）を備えて構成されている。
【００４７】
Ｂ１ステップとして、原材料１０の第１長辺１７側の端部に設けられる基準線２１（例えば、第１長辺１７における所定位置２１Ａ、２１Ｂ）を対応する突当て部１４２に突当てて（具体的には、基準線２１Ａを突当て部１４２Ａに突当てて、基準線２１Ｂを突当て部１４２Ｂに突当てる）、原材料１０におけるプレス加工位置の位置決めを行う際の基準位置を設定する。なお、当該基準線の変形例として、Ａ２ステップにおいて第１長辺側の端部に切欠き部を形成し、当該切欠き部における所定位置（直線状の部位）等を用いてもよい（不図示）。続いて、原材料１０において折曲を行う所定位置（具体的には、基準線２１に対して平行で且つ所定寸法離れた位置）で、原材料１０をプレス加工により折曲して第３折曲面３４ｃを形成するステップを実施する。この第３折曲面３４ｃが、次のＢ２ステップにおいて長辺（ここでは、第１長辺１７）に沿った折曲げ線で折曲する際の基準位置となる基準線として用いられる。なお、本実施形態においては、原材料１０における第２長辺１８寄りの端部を三回折曲して折曲面３４ａ（第１係止面）、折曲面３４ｂ、および折曲面３４ｃ（第３折曲面）を有する折曲部３４を形成するため、上記の所定位置として三つの位置が設定される。したがって位置決め装置１４４によって原材料１０をライン搬送方向と同方向に移動させ、上記の所定位置がプレス金型１４０におけるプレス加工位置と一致するように位置決めを行ってプレス加工（折曲加工）を行う動作を三回（すなわち、三巡）行う。
【００４８】
本実施形態に係る製造装置１００の長辺加工部１１２（１１２Ａ）は、図１３に示すように、位置決め装置１４４が突当て部１４２を移動させる機構を有しており、当該突当て部１４２が原材料１０に当接して（すなわち、突当てた状態のまま）これを押動する構成としている。また、突当て部１４２は、ライン搬送方向に対して上下方向に進退動し、ライン搬送方向の終端側に突当て面を有している。ただし、この構成に限定されるものではない。
【００４９】
次いで、Ｂ１ステップよりも後に、長辺加工部１１２（１１２Ｂ）においてＢ２ステップを実施する。一例として、長辺加工部１１２（１１２Ｂ）は、折曲用のプレス金型１４６、原材料１０の位置決めを行う際の基準位置を設定する突当て部１４８（１４８Ａ〜１４８Ｆ）、および基準位置から原材料１０を押動して精密移動させて位置決めを行う位置決め装置１５０を備えて構成されている。
【００５０】
Ｂ２ステップとして、基準線（ここでは、第３折曲面３４ｃ）を突当てる突当て部１４８（１４８Ａ〜１４８Ｆ）を、設定される短辺（ここでは、第１折曲面３１ｂおよび第２折曲面３２ｂ）の長さに応じて移動させて設定位置（ここでは、原材料１０において折曲を行って第４折曲面３３ｃを形成する位置）に位置決めを行うステップを実施する。ただし、本実施形態においては、前述の第３折曲面３４ｃ形成時と同様に、原材料１０における第１長辺１７寄りの端部を三回折曲して折曲面３３ａ（第２係止面）、折曲面３３ｂ、および折曲面３３ｃ（第４折曲面）を有する折曲部３３を形成する段階的な工程となっている。したがって位置決め装置１５０によって原材料１０をライン搬送方向と逆方向に順次、移動および位置決めを行いながら、最終的に上記の設定位置に位置決めが行われる。
【００５１】
本実施形態に係る製造装置１００の長辺加工部１１２（１１２Ｂ）は、図１４に示すように、突当て部１４８として、常用突当て部１４８Ａと選択突当て部１４８（１４８Ｂ〜１４８Ｆ）とを備えている。ここで、常用突当て部１４８Ａは、一箇所設けられて、原材料１０の長辺１７、１８の長さに関わらず常用される突当て部である。一方、選択突当て部１４８（１４８Ｂ〜１４８Ｆ）は、複数箇所（本実施形態においては五箇所としているが、これに限定されるものではない）設けられて、原材料１０の長辺１７、１８の長さに応じて一箇所が選択されて用いられる突当て部である。例えば、長辺１７、１８の長さが１０００ｍｍ程度に設定される場合には、常用突当て部１４８Ａと共に、選択突当て部から１４８Ｂが選択して用いられる。あるいは、長辺１７、１８の長さが２３００ｍｍ程度に設定される場合には、常用突当て部１４８Ａと共に、選択突当て部から１４８Ｆが選択して用いられる。このように、長辺１７、１８の長さに応じて、最適な位置に突当て部（すなわち、選択突当て部１４８Ｂ〜１４８Ｆから選択される一つ）を配置することができるため、プレス加工（折曲加工）を行う際の原材料１０の位置ずれを防ぎ、精度の高い形状に加工することが可能となる。
【００５２】
なお、製造装置１００の長辺加工部１１２（１１２Ｂ）は、位置決め装置１５０が突当て部１４８（１４８Ａ〜１４８Ｆ）を移動させる機構を有しており、当該突当て部１４８（１４８Ａ〜１４８Ｆ）が原材料１０に当接して（すなわち、突当てた状態のまま）これを押動する構成としている。また、突当て部１４８（１４８Ａ〜１４８Ｆ）は、ライン搬送方向に対して上下方向に進退動し、ライン搬送方向の始端側に突当て面を有している。ただし、この構成に限定されるものではない。
【００５３】
ここで、本実施形態に係る位置決め装置１５０は、突当て部１４８（１４８Ａ〜１４８Ｆ）をそれぞれ独立して移動可能に支持すると共に、自身移動可能に配設されるベース部１５２を備えている。これによれば、位置決め装置１５０におけるベース部１５２を移動させることによって、選択突当て部として１４８Ｂ〜１４８Ｆからどれを選択した場合であっても、常用突当て部１４８（１４８Ａ）および選択突当て部１４８（１４８Ｂ〜１４８Ｆ）の両方を一括して移動させることが可能となる。
【００５４】
このように、常用される常用突当て部１４８（１４８Ａ）と複数箇所設けられて選択的に用いられる選択突当て部１４８（１４８Ｂ〜１４８Ｆ）とを備えることによって、長辺長さの異なる多品種の壁パネル３０を一つの長辺加工部１１２によって、すなわち一つのラインによって製造することが可能となる。したがって、製造装置１００の簡素化および低コスト化を図ることができる。
【００５５】
しかしながら、そのような構成であるが故に生じる課題が二つある。一つ目の課題として、選択突当て部１４８（１４８Ｂ〜１４８Ｆ）が原材料１０の形状（ここでは、長辺長さ）に応じて適宜、選択されて切替わるため、当該選択突当て部１４８（１４８Ｂ〜１４８Ｆ）と常用突当て部１４８（１４８Ａ）とで、相互に位置ずれが生じてしまう原因となる。すなわち、選択突当て部１４８（１４８Ｂ〜１４８Ｆ）の突当て面１４８ｙと常用突当て部１４８（１４８Ａ）の突当て面１４８ｘとは理想的には同一面内に配置されるべきところ、ライン搬送方向にずれが生じてしまう原因となる。
【００５６】
当該ずれが生じた状態で、折曲加工を行うと、図１５（説明用に形状を強調した図である）に示すように、折曲の基準となる基準線（ここでは、第３折曲面３４ｃ）に対して、本来、平行となるようにプレス加工により折曲形成されるべき第４折曲面３３ｃが、平行でない形状に形成されてしまうこととなる。すなわち、図１６に示すように、図１６（ａ）の形状の長方形の原材料１０をプレス加工（折曲加工）して、理想的には図１６（ｂ）の形状のように長辺部の平行度（具体的には第３折曲面３４ｃと第４折曲面３３ｃとの平行度）が高い壁パネル３０を形成すべきところ、図１６（ｃ）の形状のように長辺部の平行度（具体的には第３折曲面３４ｃと第４折曲面３３ｃとの平行度）が低い壁パネル３０が形成されてしまう（図１６（ｃ）は、説明用に形状を強調した図である）。このような、長辺部の平行度が低い壁パネル３０は、ユニットバスの壁部を構成するために並設した際に、隣接する一方の壁パネル３０の折曲面（例えば、第４折曲面３３ｃ）と他方の壁パネル３０の折曲面（例えば、第３折曲面３４ｃ）とが平行に保持できず、両者の間の隙間に乾式目地材６０を嵌入しても空隙ができて、水の浸入が生じてしまうこととなる。
【００５７】
また、二つ目の課題として、多種類の（特に、長辺長さの異なる）原材料１０を一つの長辺加工部１１２によってプレス加工するため、プレス金型１４６において、長手方向における使用頻度（すなわち、原材料１０との接触頻度）に差が生じ、摩耗量が不均一となってしまう原因となる。具体的には、プレス金型１４６による原材料１０のプレス加工（折曲加工）を行った際に、図１７（説明用に形状を強調した図である）に示すように、通り精度の低下、すなわち基準線となる第３折曲面３４ｃが長手方向の位置によって折曲角度のずれが生じてしまう原因となる。すなわち、図１７（ａ）の形状のように板面に対する第３折曲面３４ｃの折曲角度が９０°に加工されるべきところ、図１７（ｂ）の形状のように当該折曲角度が９０°からずれて加工されてしまう状態となる。なお、図１７（ｂ）に示すような第３折曲面３４ｃの折曲角度の誤差は、原材料１０の板材に貼着されるシート３９の厚みが変化することによっても生じ得る（ただし、長手方向における折曲角度のばらつきの発生要因ではない）。
【００５８】
このような第３折曲面３４ｃの折曲角度の誤差が生じる結果、一つ目の課題の場合と同様に、図１６（ｃ）に示す形状のように長辺部の平行度、具体的には第３折曲面３４ｃと第４折曲面３３ｃとの平行度が低い壁パネル３０が形成されてしまう。すなわち、乾式目地材６０による止水作用が十分に得られない壁パネル３０となってしまう。
【００５９】
これらの課題に対し、本実施形態においては、下記の特徴的な構成（製造工程および装置構成）を備えて、その解決を図っている。
【００６０】
先ず、製造工程に関して、Ｂ２ステップよりも後に、長辺加工部１１２（１１２Ｂ）においてＣ１ステップを実施する。Ｃ１ステップとして、Ｎ（Ｎ＝自然数）枚目までの原材料１０に対して、基準線（前述の第３折曲面３４ｃ）を、常用突当て部１４８（１４８Ａ）および選択突当て部１４８（１４８Ｂ〜１４８Ｆ）の二箇所に突当てて、基準線（第３折曲面３４ｃ）に対して平行で且つ所定寸法離れた位置で、原材料１０をプレス加工により折曲するステップを実施する。
【００６１】
次いで、Ｃ１ステップよりも後に、長辺加工部１１２（１１２Ｂ）においてＣ２ステップを実施する。Ｃ２ステップとして、Ｃ１ステップで折曲した原材料１０における所定箇所の形状（一例として、第１折曲面３１ｂ側および第２折曲面３２ｂ側のそれぞれの位置における第３折曲面３４ｃと第４折曲面３３ｃとの距離）の測定を行った後、設計値との比較を行って得られるずれ量が許容範囲を超えている場合（すなわち、平行度が許容範囲よりも低精度の場合）に、ベース部１５２に対して、常用突当て部１４８（１４８Ａ）および選択突当て部１４８（１４８Ｂ〜１４８Ｆ）の一方もしくは両方を個別にライン搬送方向における前後方向に移動させることにより、常用突当て部１４８（１４８Ａ）および選択突当て部１４８（１４８Ｂ〜１４８Ｆ）の設定位置の微調整を行うステップを実施する。すなわち、所定箇所の測定値のずれ量が許容範囲内に収まるまで、上記のＣ１、Ｃ２ステップを繰り返し実施する。
【００６２】
次いで、Ｃ２ステップよりも後に、長辺加工部１１２（１１２Ｂ）においてＤ１ステップを実施する。Ｄ１ステップとして、Ｎ＋１枚目以降の原材料１０に対して、基準線（第３折曲面３４ｃ）を、常用突当て部１４８（１４８Ａ）および選択突当て部１４８（１４８Ｂ〜１４８Ｆ）の二箇所に突当てて、基準線（第３折曲面３４ｃ）に対して平行で且つ所定寸法離れた位置で、原材料１０をプレス加工により折曲するステップを実施する。すなわち、Ｎ＋１枚目以降の原材料１０からの壁パネル３０が仕様適合（長辺部の平行度が高精度）の製品として出荷される。
【００６３】
ここで、製造装置１００の構成に関しては、ベース部１５２に配設される突当て部１４８を、当該ベース部１５２に対して突当て面の位置をライン搬送方向に沿って変更できるように移動させる移動機構を備えている。一例として、常用突当て部１４８（１４８Ａ）を移動させる移動機構１５４を備える構成としている。あるいは変形例として、選択突当て部１４８（１４８Ｂ〜１４８Ｆ）をそれぞれ移動させる移動機構（図示しないが、移動機構１５４と同様の構成を採用し得る）を備える構成としてもよい。さらに別の変形例として、常用突当て部１４８（１４８Ａ）を移動させる移動機構１５４と、選択突当て部１４８（１４８Ｂ〜１４８Ｆ）をそれぞれ移動させる移動機構（図示しないが、移動機構１５４と同様の構成を採用し得る）との両方を備える構成としてもよい。
【００６４】
一例として、移動機構１５４は、０．０５ｍｍ以下の寸法精度で移動の設定が可能な電動アクチュエータを用いて構成される。この電動アクチュエータの例として、サーボモータによりボールネジを回転させることにより、当該ボールネジに螺合されると共にリニアガイドに可動支持されたスライダを移動させる構成を備えている。
【００６５】
すなわち、上記のＣ２ステップは、電動アクチュエータを用いて常用突当て部１４８（１４８Ａ）および選択突当て部１４８（１４８Ｂ〜１４８Ｆ）の一方もしくは両方を個別に０．０５ｍｍ以下の寸法精度で移動させることによって常用突当て部１４８（１４８Ａ）および選択突当て部１４８（１４８Ｂ〜１４８Ｆ）の設定位置の微調整を行う工程を備えるものである。これによれば、製造される壁パネル３０における長辺部の平行度（具体的には、第３折曲面３４ｃと第４折曲面３３ｃとの平行度）を極めて高精度に形成することが可能となる。
【００６６】
上記の構成（製造工程および装置構成）を備えることによって、前述のＢ１ステップに関して、プレス加工により原材料１０を長辺（ここでは、第１長辺１７）に沿った折曲げ線で板面に対して角度公差１°以内程度の低い精度で９０°に折曲して折曲面（ここでは、第３折曲面３４ｃ）を形成し、当該折曲面３４ｃを次工程（Ｂ２ステップ）で基準線として用いることが可能となる。
【００６７】
すなわち、壁パネル３０の加工精度（形状精度）の高精度化を実現するうえで、Ｂ１ステップにおいて、原材料１０を長辺（第１長辺１７）に沿った折曲げ線で折曲加工する際に、角度公差の誤差が一定程度大きい（精度が一定程度低い）プレス金型１４０の使用を許容することできる。換言すれば、折曲の直角度が一定程度低い折曲面（第３折曲面３４ｃ）であっても、基準線として用いることができる。さらに、プレス金型１４０の不均一な摩耗に起因した通り精度が一定程度低い折曲面（第３折曲面３４ｃ）であっても、基準線として用いることができる。これによって、製造装置１００の簡素化および低コスト化、さらには装置メンテナンスの簡易化を図ることができる。
【００６８】
このように、本実施形態に係る壁パネル３０の製造方法によれば、密接に連携する上記の主要ステップを備えることによって、以下の顕著な効果を得ることができる。具体的には、原材料１０として加工精度（すなわち、外形の形状精度）の低い板材、例えば、四隅の直角度に、切断加工時に生じる０．５°以内の角度公差が含まれる長方形の板材を用いることができるため、材料費の低コスト化を図ることができる。さらに、このような精度の低い板材を用いても、第１長辺側折曲面３３ｃと第２長辺側折曲面３４ｃとの平行度の公差（加工の誤差）が極めて小さい長方形の壁パネル３０を製造することができる。
【００６９】
したがって、複数の壁パネル３０を長辺部同士が隣接する配置でユニットバスの壁部に所定寸法の隙間を空けて並設し、当該隙間に固形の乾式目地材６０を嵌入するだけで、高い止水作用（水の浸入防止作用）を得ることができる。すなわち、当該隙間を液状の目地材で埋めて止水する作業を行う必要が無いため、壁部の設置作業を簡易且つ短時間で行うことができ、現場施工費の低コスト化を図ることができる。
【００７０】
なお、Ｄ１ステップの後は、適宜、必要なステップを実施する。一例として、コーナー加工部１１４（１１４Ａ、１１４Ｂ）において、原材料１０のコーナー部をプレス加工によって所定形状に形成するＥ１、Ｅ２ステップを実施する。次いで、製造装置１００における原材料１０の加工が終了して所定形状に形成された状態の壁パネル３０を、終端部１１６に載置するＦ１ステップを実施する。次いで、フィーダー等の搬送装置（不図示）を用いて、壁パネル３０を一枚ずつライン上（ここでは、終端部１１６上）からストッカー１１８内に搬送して、積層収納するＧ１ステップを実施する。ただし、これらのステップに限定されるものではなく、Ｅ２ステップに続いて、その他の追加加工を行う構成としてもよい。なお、その場合は、必要な機構を製造装置１００に設けて壁パネル３０の追加加工を行ってもよく、あるいは、別の製造装置（不図示）に壁パネル３０を搬送（移送）した後、追加加工を行ってもよい。
【００７１】
以上、説明した通り、本発明に係る壁パネルの製造方法によれば、原材料として四隅の直角度における角度公差が比較的大きく設定された安価な長方形の板材を用いることができ、且つ、外形寸法の形成精度（特に、長辺部の平行度）が極めて高い壁パネルを製造することが可能となる。これにより、目地材として液状樹脂ではなく固形の乾式目地材を用いる構成において、当該目地材が嵌入される隙間の止水性能を飛躍的に高めることが可能となる。したがって、ユニットバスの壁部を構成する際に、施工作業の容易化が図られ、工期の短縮およびコスト削減が可能となる。
【００７２】
なお、本発明は、以上説明した実施例に限定されることなく、本発明を逸脱しない範囲において種々変更が可能である。この壁パネルはユニットバスの壁部を構成する際に好適に用いられるが、ユニットバス以外の壁部を構成する際にも用いることができるのは言うまでもない。
【符号の説明】
【００７３】
１０、１０Ａ、１０Ｂ、１０Ｃ  板材（原材料）
１５  第１短辺
１６  第２短辺
１７  第１長辺
１８  第２長辺
２１、２１Ａ、２１Ｂ  基準線
３０、３０Ａ、３０Ｂ、３０Ｃ  壁パネル
３１、３２、３３、３４  折曲部
３１ｂ  折曲面（第１折曲面）
３２ｂ  折曲面（第２折曲面）
３３ｃ  折曲面（第４折曲面）
３４ｃ  折曲面（第３折曲面）
３９  シート
４０  コーナージョイナー
５０  平ジョイナー
６０  乾式目地材
６２  床部
１００  製造装置
１４０、１４６  プレス金型
１４２、１４２Ａ、１４２Ｂ  突当て部
１４４、１４４Ａ、１４４Ｂ  位置決め装置
１４８、  突当て部
１４８Ａ  突当て部（常用突当て部）
１４８Ｂ〜１４８Ｆ  突当て部（選択突当て部）
１５０  位置決め装置
１５２  ベース部
１５４  移動機構
【要約】
【課題】外形寸法の精度を極めて高くすることが可能な壁パネルの製造方法を実現する。
【解決手段】本発明に係る壁パネル３０の製造方法は、シート３９が貼着された板材１０を用意して、基準線３４ｃを形成するＢ１ステップと、常用突当て部１４８Ａおよび選択突当て部１４８Ｂ〜Ｆを支持するベース部１５２を移動させて位置決めを行うＢ２ステップと、Ｎ枚目までの板材１０に対し、基準線３４ｃを常用突当て部１４８Ａおよび選択突当て部１４８Ｂ〜Ｆに突当てて折曲するＣ１ステップと、折曲した板材１０の形状測定を行い、ズレ量が許容範囲を超えている場合、ベース部１５２に対して常用突当て部１４８Ａおよび選択突当て部１４８Ｂ〜Ｆの一方もしくは両方を個別に移動させて微調整を行うＣ２ステップと、Ｎ＋１枚目以降の板材１０に対し、基準線３４ｃを常用突当て部１４８Ａおよび選択突当て部１４８Ｂ〜Ｆに突当てて折曲するＤ１ステップと、を備える。
【選択図】図１４【図１】
0006803103.tif 000002
【図２】
0006803103.tif 000003
【図３】
0006803103.tif 000004
【図４】
0006803103.tif 000005
【図５】
0006803103.tif 000006
【図６】
0006803103.tif 000007
【図７】
0006803103.tif 000008
【図８】
0006803103.tif 000009
【図９】
0006803103.tif 000010
【図１０】
0006803103.tif 000011
【図１１】
0006803103.tif 000012
【図１２】
0006803103.tif 000013
【図１３】
0006803103.tif 000014
【図１４】
0006803103.tif 000015
【図１５】
0006803103.tif 000016
【図１６】
0006803103.tif 000017
【図１７】
0006803103.tif 000018